(57)【特許請求の範囲】
【請求項１】
スマートエントリーシステムに適用される携帯機としての送受信装置であって、
電波を無線送信する送受信装置側送信部と、
前記電波を無線受信する送受信装置側受信部と、
前記送受信装置側受信部の電気特性を制御するための設定値を記憶するものであり、書き換え可能な送受信装置側記憶部と、
前記設定値に基づいて前記送受信装置側受信部の電気特性を制御するものであり、前記送受信装置側受信部にて設定値を含む電波を受信した場合は、前記送受信装置側記憶部に記憶された設定値を前記送受信装置側受信部にて受信した設定値に書き換える送受信装置側制御部と、
前記送受信装置側受信部にて受信した電波に基づいて、前記送受信装置側受信部の電気特性を計測する送受信装置側計測部と、を備え、
前記送受信装置側制御部は、前記送受信装置側計測部による計測結果を含む電波を前記送受信装置側送信部から送信することによって、外部から前記計測結果に基づいた前記設定値を含む電波を前記送受信装置側受信部にて受信することを特徴とする送受信装置。
【請求項２】
前記送受信装置側制御部は、前記送受信装置側受信部にて電波の送信要求を示す送信要求信号を含む電波を受信すると、前記送受信装置側送信部から電波を送信することによって、外部から前記設定値を含む電波を前記送受信装置側受信部にて受信することを特徴とする請求項１に記載の送受信装置。
【請求項３】
前記送受信装置側記憶部は、前記送受信装置側受信部の電気特性を制御するための設定値に加えて、前記送受信装置側送信部の電気特性を制御するための設定値を記憶するものであり、
前記送受信装置側制御部は、前記送受信装置側受信部の電気特性に加えて、前記送受信装置側送信部の電気特性を制御するための前記設定値に基づいて前記送受信装置側送信部の電気特性を制御することを特徴とする請求項１又は請求項２に記載の送受信装置。
【請求項４】
前記送受信装置側制御部は、前記送受信装置側送信部の電気特性を制御するための前記設定値に基づいて前記送受信装置側送信部の送信出力及び／又は送信周波数を制御することを特徴とする請求項３に記載の送受信装置。
【請求項５】
前記送受信装置側制御部は、前記計測結果に基づいた前記設定値に基づいて前記送受信装置側受信部の受信感度及び／又は受信周波数を制御することを特徴とする請求項１乃至請求項４のいずれかに記載の送受信装置。
【請求項６】
前記送受信装置側送信部は、ＲＦ電波を送信することを特徴とする請求項１乃至請求項５のいずれかに記載の送受信装置。
【請求項７】
スマートエントリーシステムに適用される携帯機としての送受信装置と計測装置とが無線通信接続される送受信装置の調整システムであって、
前記計測装置は、
前記電波を無線送信する計測装置側送信部と、
前記電波を無線受信する計測装置側受信部と、
前記送受信装置から送信された電波に基づいて、当該送受信装置の電気特性を制御するための設定値である調整用設定値を設定し、当該調整用設定値を含む電波を計測装置側送信部から送信する計測装置側制御部とを備え、
前記送受信装置は、
前記電波を無線送信する送受信装置側送信部と、
前記電波を無線受信する送受信装置側受信部と、
前記送受信装置の前記電気特性を制御するための設定値を記憶するものであり、書き換え可能な送受信装置側記憶部と、
前記送受信装置側記憶部に記憶された設定値に基づいて前記送受信装置の電気特性を制御するものであり、前記送受信装置側受信部にて前記調整用設定値を含む電波を受信した場合は、前記送受信装置側記憶部に記憶された設定値を前記調整用設定値に書き換える送受信装置側制御部と、
前記送受信装置側受信部にて受信した電波に基づいて、前記送受信装置側受信部の電気特性を計測する送受信装置側計測部と、を備え、
前記送受信装置側制御部は、前記送受信装置側計測部による計測結果を含む電波を前記送受信装置側送信部から送信し、
前記計測装置側制御部は、前記送受信装置側受信部の電気特性を制御するための前記調整用設定値を設定する場合、前記送受信装置側計測部にて計測された計測結果を用いて設定することを特徴とする送受信装置の調整システム。
【請求項８】
前記計測装置は、操作者によって操作されるものであり、当該操作者によって操作されたことを示す操作信号を出力する操作手段と、前記送受信装置から送信された電波に基づいて、前記送受信装置側送信部の電気特性を計測する計測装置側計測部とを備え、
前記計測装置側制御部は、前記操作信号が出力されると、前記送受信装置に対して電波の送信要求を示す送信要求信号を含む電波を前記計測装置側送信部から送信すると共に、前記送受信装置側受信部の電気特性を制御するための前記調整用設定値に加えて、前記送受信装置から送信された電波に基づいて計測された計測結果を用いて前記送受信装置側送信部の電気特性を制御するための前記調整用設定値を設定し、
前記送受信装置側制御部は、前記送受信装置側受信部にて前記送信要求信号を含む電波を受信すると、前記送受信装置側送信部から電波を送信することを特徴とする請求項７に記載の送受信装置の調整システム。
【請求項９】
前記計測装置側制御部は、前記計測装置側計測部による計測結果に基づいて前記送受信装置側送信部の電気特性が正常であるか否かを判定し、正常でないと判定した場合に前記送受信装置側送信部の電気特性を制御するための前記調整用設定値を設定して、当該調整用設定値を含む電波を計測装置側送信部から送信することを特徴とする請求項８に記載の送受信装置の調整システム。
【請求項１０】
前記送受信装置側制御部は、前記送受信装置側送信部の前記電気特性として前記送受信装置側送信部の送信出力及び／又は送信周波数を制御するものであり、前記計測装置側計測部は、前記送受信装置側送信部の前記電気特性として前記送受信装置側送信部の送信出力及び／又は送信周波数を計測し、前記計測装置側制御部は、当該送信出力及び／又は送信周波数を制御するための調整用設定値を設定することを特徴とする請求項８又は請求項９に記載の送受信装置の調整システム。
【請求項１１】
前記計測装置側制御部は、前記送受信装置側計測部による計測結果に基づいて前記送受信装置側受信部の電気特性が正常であるか否かを判定し、正常でないと判定した場合に前記送受信装置側受信部の電気特性を制御するための前記調整用設定値を設定して、当該調整用設定値を含む電波を計測装置側送信部から送信することを特徴とする請求項７乃至請求項１０のいずれかに記載の送受信装置の調整システム。
【請求項１２】
前記送受信装置側制御部は、前記電気特性として前記送受信装置側受信部の受信感度及び／又は受信周波数を制御するものであり、前記送受信装置側計測部は、前記送受信装置側受信部の前記電気特性として前記送受信装置側受信部の受信感度及び／又は受信周波数を計測し、前記計測装置側制御部は、当該受信感度及び／又は受信周波数を制御するための調整用設定値を設定することを特徴とする請求項７乃至請求項１１のいずれかに記載の送受信装置の調整システム。
【請求項１３】
前記計測装置は、前記計測装置側計測部の計測結果及び／又は前記送受信装置側計測部の計測結果と前記調整用設定値とを関連付けて記憶する計測装置側記憶部を備え、前記計測装置側制御部は、前記計測装置側記憶部を用いて前記調整用設定値を設定することを特徴とする請求項８乃至請求項１２のいずれかに記載の送受信装置の調整システム。
【請求項１４】
前記送受信装置側送信部は、ＲＦ電波を送信することを特徴とする請求項７乃至請求項１３のいずれかに記載の送受信装置の調整システム。
【発明の詳細な説明】
【技術分野】
【０００１】
本発明は、送受信装置及び送受信装置の調整システムに関するものである。
【背景技術】
【０００２】
従来、送受信装置として回路装置が実装された回路基板をケースに収納したり、モールド樹脂によってモールドしたりすることによってパッケージするものがあった。
【０００３】
このような送受信装置の電気特性を調整する場合、パッケージする前の段階で回路基板にプローブピンなどを接触させて回路装置の記憶部に設定値を書き込むなどして行なっていた。
【発明の開示】
【発明が解決しようとする課題】
【０００４】
しかしながら、回路装置が実装された回路基板をモールドする場合、回路装置間や回路装置と回路基板間にモールド樹脂によって容量成分が形成されることとなる。このように、モールド樹脂によって容量成分が形成されると、送受信装置の電気特性が変動する可能性がある。また、回路装置が実装された回路基板をケースに収納する場合、ケースによって送受信装置の電気特性が変動する可能性がある。
【０００５】
このように、パッケージする前の段階とパッケージした後の段階とでは、電気特性が異なる可能性があるため、意図した電気特性を有する送受信装置を得ることができない可能性があった。
【０００６】
また、プローブピンなどを接触させて回路装置の記憶部に設定値を書き込むなどして調整を実施する場合、回路基板にプローブピンを接触させるためのメカ的な制御が必要となる。さらに、テストポイントに接触させたり離したりする時間が必要となり、調整時間も増加するため製造コストが高くなる。
【０００７】
本発明は、上記問題点に鑑みなされたものであり、調整時間を短縮でき、適切な電気特性を有する送受信装置及び適切な電気特性に調整することができる送受信装置の調整システムを提供することを目的とする。
【課題を解決するための手段】
【０００８】
上記目的を達成するために請求項１に記載の送受信装置は、スマートエントリーシステムに適用される携帯機としての送受信装置であって、電波を無線送信する送受信装置側送信部と、電波を無線受信する送受信装置側受信部と、送受信装置側送信部及び／又は送受信装置側受信部の電気特性を制御するための設定値を記憶するものであり、書き換え可能な送受信装置側記憶部と、設定値に基づいて送受信装置側送信部及び／又は送受信装置側受信部の電気特性を制御するものであり、送受信装置側受信部にて設定値を含む電波を受信した場合は、送受信装置側記憶部に記憶された設定値を送受信装置側受信部にて受信した設定値に書き換える送受信装置側制御部と、送受信装置側受信部にて受信した電波に基づいて、送受信装置側受信部の電気特性を計測する送受信装置側計測部と、を備え、送受信装置側制御部は、送受信装置側計測部による計測結果を含む電波を送受信装置側送信部から送信することによって、外部から計測結果に基づいた設定値を含む電波を送受信装置側受信部にて受信することを特徴とするものである。
【０００９】
このように、送受信装置側記憶部に送受信装置側受信部の電気特性を制御するための設定値を記憶しておき、送受信装置側受信部にて設定値を含む電波を無線受信した場合は、送受信装置側記憶部に記憶された設定値を送受信装置側受信部にて受信した設定値に書き換えることによって、送受信装置がケースやモールド樹脂によってパッケージされた後であっても電気特性を調整することができる。したがって、モールド樹脂やケースなどによる変動量を考慮することなく適切な電気特性を有する送受信装置とすることができる。また、このように、送受信装置側受信部にて受信した電波に基づいて計測した計測結果を含む電波を送信して、外部からこの計測結果に基づいた設定値を含む電波を受信することよって、送受信装置側受信部の電気特性を調整することができる。
【００１０】
また、プローブピンなどを用いることなく電気特性を調整することができるので調整時間も短縮できる。
【００１１】
また、設定値を含む電波を受信する場合、請求項２に示すように、送受信装置側受信部にて電波の送信要求を示す送信要求信号を含む電波を受信すると、送受信装置側送信部から電波を送信することによって、外部から設定値を含む電波を送受信装置側受信部にて受信することができる。
【００１２】
また、請求項３に示すように、送受信装置側記憶部は、送受信装置側受信部の電気特性を制御するための設定値に加えて、送受信装置側送信部の電気特性を制御するための設定値を記憶するものであり、送受信装置側制御部は、送受信装置側受信部の電気特性に加えて、送受信装置側送信部の電気特性を制御するための設定値に基づいて送受信装置側送信部の電気特性を制御するようにしてもよい。
【００１３】
また、送受信装置側送信部の電気特性を制御するための設定値に基づいて制御する電気特性としては、請求項４に示すように、送受信装置側送信部の送信出力及び／又は送信周波数とすることができる。
【００１５】
また、計測結果に基づいた設定値に基づいて制御する電気特性としては、請求項５に示すように、送受信装置側受信部の受信感度及び／又は受信周波数とすることができる。
【００１６】
また、請求項６に示すように、送受受信装置側送信部が送信する電波としてＲＦ電波を用いた場合に好適である。このＲＦ電波は、一般的にケースやモールド樹脂などによる影響を受けやすいものである。しかしながら、送受信装置がケースやモールド樹脂によってパッケージされた後に電気特性を調整することができるため、モールド樹脂やケースなどによる変動量を考慮することなく適切な電気特性を有する送受信装置とすることができる。
【００１７】
また、請求項７に記載の送受信装置の調整システムでは、スマートエントリーシステムに適用される携帯機としての送受信装置と計測装置とが無線通信接続される送受信装置の調整システムであって、計測装置は、電波を無線送信する計測装置側送信部と、電波を無線受信する計測装置側受信部と、送受信装置から送信された電波に基づいて、その送受信装置の電気特性を制御するための設定値である調整用設定値を設定し、調整用設定値を含む電波を計測装置側送信部から送信する計測装置側制御部とを備え、送受信装置は、電波を無線送信する送受信装置側送信部と、電波を無線受信する送受信装置側受信部と、送受信装置の電気特性を制御するための設定値を記憶するものであり、書き換え可能な送受信装置側記憶部と、送受信装置側記憶部に記憶された設定値に基づいて送受信装置の電気特性を制御するものであり、送受信装置側受信部にて調整用設定値を含む電波を受信した場合は、送受信装置側記憶部に記憶された設定値を調整用設定値に書き換える送受信装置側制御部と、送受信装置側受信部にて受信した電波に基づいて、送受信装置側受信部の電気特性を計測する送受信装置側計測部と、を備え、送受信装置側制御部は、送受信装置側計測部による計測結果を含む電波を送受信装置側送信部から送信し、計測装置側制御部は、送受信装置側受信部の電気特性を制御するための調整用設定値を設定する場合、送受信装置側計測部にて計測された計測結果を用いて設定することを特徴とするものである。
【００１８】
このように、計測装置は、送受信装置から送信された電波に基づいて調整用設定値を設定し、送受信装置は、その調整用設定値を含む電波を受信すると、送受信装置側記憶部に記憶された設定値を調整用設定値に書き換えることによって、送受信装置の電気特性を適切に調整することができる。また、このように、送受信装置側受信部にて受信した電波に基づいて計測した計測結果を含む電波を送信して、外部からこの計測結果に基づいた設定値を含む電波を受信することよって、送受信装置側受信部の電気特性を調整することができる。
【００１９】
すなわち、調整用設定値を含む電波を無線受信して、送受信装置側記憶部に記憶された設定値を調整用設定値に書き換えることによって、送受信装置がケースやモールド樹脂によってパッケージされた後であっても電気特性を調整することができる。したがって、モールド樹脂やケースなどによる変動量を見越して設定値を設定することなく、送受信装置の電気特性を適切に調整することができる。
【００２０】
また、請求項８に記載の送受信装置の調整システムでは、計測装置は、操作者によって操作されるものであり操作者によって操作されたことを示す操作信号を出力する操作手段と、送受信装置から送信された電波に基づいて、送受信装置側送信部の電気特性を計測する計測装置側計測部とを備え、計測装置側制御部は、操作信号が出力されると、送受信装置に対して電波の送信要求を示す送信要求信号を含む電波を計測装置側送信部から送信すると共に、送受信装置側受信部の電気特性を制御するための前記調整用設定値に加えて、送受信装置から送信された電波に基づいて計測された計測結果を用いて送受信装置側送信部の電気特性を制御するための調整用設定値を設定し、送受信装置側制御部は、送受信装置側受信部にて送信要求信号を含む電波を受信すると、送受信装置側送信部から電波を送信することを特徴とするものである。
【００２１】
このように、送受信装置から送信された電波に基づいて送受信装置側送信部の電気特性を計測し、この計測結果を用いて調整用設定値を設定して、送受信装置に送信するので、送受信装置の電気特性をより一層適切に調整することができる。
【００２２】
また、請求項９に記載の送受信装置の調整システムでは、計測装置側制御部は、計測装置側計測部による計測結果に基づいて送受信装置側送信部の電気特性が正常であるか否かを判定し、正常でないと判定した場合に送受信装置側送信部の電気特性を制御するための調整用設定値を設定して、調整用設定値を含む電波を計測装置側送信部から送信することを特徴とするものである。
【００２３】
このように、計測装置は、送受信装置側送信部の電気特性が正常でないと判定した場合のみ調整用設定値を含む電波を送信することによって、必要な時だけ電波を送信することができる。
【００２４】
また、請求項１０に記載の送受信装置の調整システムでの作用・効果に関しては、上述の請求項４と同様であるため説明を省略する。
【００２５】
また、請求項１１に記載の送受信装置の調整システムでの作用・効果に関しては、上述の請求項９と同様であるため説明を省略する。
【００２６】
また、請求項１２に記載の送受信装置の調整システムでの作用・効果に関しては、上述の請求項５と同様であるため説明を省略する。
【００２７】
また、請求項１３に記載の送受信装置の調整システムでは、計測装置は、計測装置側計測部の計測結果及び／又は送受信装置側計測部の計測結果と調整用設定値とを関連付けて記憶する計測装置側記憶部を備え、計測装置側制御部は、計測装置側記憶部を用いて調整用設定値を設定することを特徴とするものである。
【００２８】
このように、計測装置側計測部の計測結果及び／又は送受信装置側計測部の計測結果と調整用設定値とを関連付けて記憶する計測装置側記憶部を備え、この計測装置側記憶部を用いて調整用設定値を設定することによって、容易に調整用設定値を設定することができる。
【００２９】
また、請求項１４に記載の送受信装置の調整システムでの作用・効果に関しては、上述の請求項６と同様であるため説明を省略する。
【発明を実施するための最良の形態】
【００３０】
以下、本発明の実施の形態を図に基づいて説明する。
【００３１】
（第１の実施の形態）
まず、第１の実施の形態について説明する。図１は、本発明の第１の実施の形態における調整システムを示す概略図である。図２は、本発明の第１の実施の形態における携帯機を示す概略図である。図３は、本発明の第１の実施の形態における計測装置の処理動作を示すフロー図である。図４は、本発明の第1の実施の形態における携帯機の処理動作を示すフロー図ある。図５は、本発明の第1の実施の形態における調整マップを示す説明図である。
【００３２】
図１に示すように、本実施の形態における調整システムは、携帯機１０と計測装置２０とが無線接続されてなるものである。なお、携帯機１０は、本発明における送受信装置に相当するものであり、車両のドアを非接触で遠隔的に施錠・解錠するためのスマートエントリーシステムなどに適用可能なものである。
【００３３】
携帯機１０（送受信装置）は、携帯機側制御部１１（送受信装置側制御部）、ＥＥＰＲＯＭ１２（送受信装置側記憶部）、携帯機側送信部１３（送受信装置側送信部）、携帯機側受信部１４（送受信装置側受信部）などを備える。
【００３４】
携帯機側制御部１１は、ＣＰＵなどを有するマイクロコンピュータであり、ＥＥＰＲＯＭ１２に記憶された設定値などに基づいて携帯機側送信部１３、携帯機側受信部１４などを制御するものである。
【００３５】
ＥＥＰＲＯＭ１２は、書き換え可能な記憶装置であり、本発明における送受信装置側記憶部に相当するものである。このＥＥＰＲＯＭ１２には、携帯機側送信部１３にて電波を送信する場合の送信出力、送信周波数などを制御するための設定値が記憶されている。
【００３６】
なお、携帯機側制御部１１は、スマートエントリーシステムに用いられる場合、携帯機側受信部１４の受信信号に基づいてリクエスト信号の受信の有無を判定したり、そのリクエスト信号に応答して、ＩＤコード等を含むレスポンス信号を生成して携帯機側送信部１３から送信させたりなどする。また、ＥＥＰＲＯＭ１２には、携帯機１０がスマートエントリーシステムに適用される場合には携帯機１０固有のＩＤコードなどが記憶される。
【００３７】
携帯機側送信部１３は、本発明における送受信装置側送信部に相当するものであり、ＲＦ電波を送信するＲＦ回路などを備え、携帯機側制御部１１から出力された信号を変調したＲＦ電波に重畳してアンテナから無線送信する。携帯機側送信部１３にて電波を無線送信する場合、携帯機側制御部１１は、ＥＥＰＲＯＭ１２に記憶された設定値に基づいて電気特性（送信出力、送信周波数）を制御する。
【００３８】
携帯機側受信部１４は、本発明における送受信装置側受信部に相当するものであり、外部から無線送信され、アンテナにて無線受信された電波を復調すると共に、その復調した信号を携帯機側制御部１１に出力する。
【００３９】
この携帯機１０は、図２に示すように、基板１５、回路素子１６、モールド樹脂１７、アンテナ（図示せず）を備え、基板１５に回路素子１６やアンテナなどが実装された状態でモールド樹脂１７によってモールド成形される（以下、モールド成形された状態を製品状態とも称する）。
【００４０】
一方、計測装置２０は、計測装置側制御部２１、計測装置側記憶部２２、計測装置側送信部２３、計測装置側受信部２４、計測装置側計測部２５などを備える。
【００４１】
計測装置側制御部２１は、ＣＰＵなどを有するマイクロコンピュータであり、計測装置側送信部２３、計測装置側受信部２４、計測装置側計測部２５などを制御するものである。
【００４２】
計測装置側記憶部２２は、ハードディスクやＲＯＭなどからなる記憶装置であり、調整用設定値が記憶される。この調整用設定値は、携帯機１０における携帯機側送信部１３の電気特性を制御するためのものであり、図５の調整マップに示すように計測装置側計測部２５の計測結果（以下、計測値とも称する）と関連付けて記憶されている。
【００４３】
計測装置側送信部２３は、ＬＦ回路などを備え、計測装置側制御部２１から出力された信号を変調したＬＦ電波に重畳してアンテナから無線送信する。なお、計測装置側制御部２１から出力される信号は、調整用設定値を示す信号や計測を開始するために携帯機１０に電波の無線送信を要求する送信要求信号（以下、計測コマンドとも称する）などである。
【００４４】
計測装置側受信部２４は、携帯機１０から無線送信され、アンテナにて無線受信された電波を復調すると共に、その復調した信号を計測装置側制御部２１に出力する。
【００４５】
計測装置側計測部２５は、携帯機１０から無線送信された電波に基づいて、携帯機側送信部１３の電気特性（送信出力、送信周波数）を計測する。
【００４６】
操作スイッチ２６は、本発明における操作手段に相当するものであり、計測装置２０の操作者によって操作されるものであり、操作者によって操作されたことを示す操作信号を出力する。
【００４７】
ここで、本実施の形態における調整システムの動作について図面を用いて説明する。図３に示すフローは、操作スイッチ２６が操作され、計測開始を示す操作信号が出力されるとスタートする。図４に示すフローは、計測装置２０から計測コマンドを受信するとスタートする。
【００４８】
図３に示すステップＳ１０では、計測装置側制御部２１は、計測装置側送信部２３によって、計測を開始するために携帯機１０に電波の無線送信を要求する計測コマンドを変調したＬＦ電波に重畳してアンテナから無線送信する。
【００４９】
一方、携帯機１０は、計測装置２０から送信された計測コマンドを携帯機側受信部１４にて受信すると図４に示すフローをスタートする。図４に示すステップＳ２０では、携帯機側制御部１１は、携帯機側送信部１３のＲＦ回路を起動してＲＦ電波を無線送信する準備をする。そして、図４に示すステップＳ２１にて、携帯機側制御部１１は、ＥＥＰＲＯＭ１２に記憶された設定値に基づいて送信出力、送信周波数を制御して携帯機側送信部１３からＲＦ電波を無線送信する。
【００５０】
そして、計測装置２０は、図３に示すステップＳ１１において、ステップＳ１０にて送信した計測コマンドに応答して携帯機１０からＲＦ電波が送信されたか否か、すなわち、計測装置側受信部２４がＲＦ電波を受信したか否かを判定する。ＲＦ電波を受信したと判定した場合はステップＳ１２へ進み、ＲＦ電波を受信してないと判定した場合はステップＳ１１での判定を繰り返す。なお、ステップＳ１１では、所定回数ＲＦ電波の受信を確認したにも係わらずＲＦ電波を受信できない場合は処理を終了する。
【００５１】
図３に示すステップＳ１２では、計測装置側制御部２１は、計測装置側計測部２５にて受信したＲＦ電波を用いて携帯機側送信部１３の送信出力、送信周波数を計測する。そして、図３に示すステップＳ１３では、計測装置側制御部２１は、ステップＳ１２での計測結果が正常であるか否か、すなわち規格内であるか否かを判定する。そして、規格内であると判定した場合は処理を終了し、規格内でないと判定した場合はステップＳ１４へ進む。なお、計測結果が規格内であるか否かを判定する場合は、計測装置側記憶部２２などに所定の基準値を記憶しておき、この基準値と計測装置側計測部２５による計測結果とを比較することなどによって判定することができる。
【００５２】
なお、ステップＳ１２において電気特性を計測すると、計測結果に係わらずステップＳ１４へ進むようにしても本発明の目的は達成できるものである。しかし、携帯機側送信部１３の電気特性が正常でないと判定した場合のみ調整用設定値を設定するためにステップＳ１４に進むようにすることによって、必要な時だけ電波を送信することができ効率的である。
【００５３】
図３に示すステップＳ１４では、計測装置側制御部２１は、計測装置側計測部２１による計測結果が正常でない場合、携帯機１０における携帯機側送信部１３の送信出力、送信周波数を正常にするために図５に示す調整マップを確認する。
【００５４】
図３に示すステップＳ１５では、計測装置側制御部２１は、調整マップを用いて計測装置側計測部２５による計測結果、すなわち計測値に対応する調整用設定値を決定する。
【００５５】
そして、図３に示すステップＳ１６では、計測装置側制御部２１は、計測装置側送信部２３によって、ステップＳ１５にて決定した調整用設定値をＥＥＰＲＯＭ１２に書き込むために書換コマンド及び調整用設定値を変調したＬＦ電波に重畳してアンテナから無線送信する。
【００５６】
図４に示すステップＳ２２では、携帯機側制御部１１は、携帯機側受信部１４にて書換コマンド及び調整用設定値の受信を確認する。そして、図４に示すステップＳ２３では、携帯機側制御部１１は、書換コマンド及び調整用設定値を受信したか否かを判定し、受信したと判定した場合はステップＳ２４へ進み、受信してないと判定した場合は処理を終了する。
【００５７】
図４に示すステップＳ２４では、携帯機側制御部１１は、受信した書換コマンドに従って現在ＥＥＰＲＯＭ１２に記憶されている設定値を受信した調整用設定値に書き換える。
【００５８】
このように、ＥＥＰＲＯＭ１２に携帯機側送信部１３の電気特性を制御するための設定値を記憶しておき、携帯機側受信部１４にて調整用設定値を含む電波を無線受信した場合は、ＥＥＰＲＯ１２に記憶された設定値を送受信装置側受信部にて受信した調整用設定値に書き換えることによって、携帯機１０がケースやモールド樹脂によってパッケージされた後であっても電気特性を調整することができる。したがって、モールド樹脂やケースなどによる変動量を考慮することなく適切な電気特性を有する携帯機１０とすることができる。
【００５９】
また、本実施の形態においては、携帯機１０が製品状態である段階でＥＥＰＲＯＭ１２に記憶された設定値を書き換えることができるため、携帯機１０の製造工程内で不良が発生することがない。
【００６０】
また、本実施の形態においては、調整用設定値は、計測装置２０が携帯機１０から送信された電波に基づいて携帯機側送信部１３の電気特性を計測し、この計測結果を用いて調整用設定値を設定して、ＥＥＰＲＯＭ１２に記憶された設定値と書き換えるので、携帯機１０の電気特性をより一層適切に調整することができる。
【００６１】
また、従来、設定値を書き込む場合、モールド樹脂やケースなどの影響を見越して、基板に回路素子やアンテナなどが実装された状態（以下、サーキット状態とも称する）で基板に設けたテストポインタにプローブピンを接触させることによって行っていた。しかしながら、本実施の形態においては、調整用設定値を無線で携帯機１０のＥＥＰＲＯＭ１２に書き込むことができるので、携帯機１０にテストポインタを設ける必要がなくアートワークの制約を低減できる。さらに、調整用設定値を無線で携帯機１０のＥＥＰＲＯＭ１２に書き込むことができるので、プローブピンをテストポインタに接触させる必要がなく調整時間も短縮できる。
【００６２】
また、携帯機１０に携帯機側制御部１１などを駆動するための電池などの電源を搭載する場合、この電源によっても携帯機側送信部１３の電気特性は変動する可能性がある。しかしながら、本実施の形態においては、調整用設定値を無線で携帯機１０のＥＥＰＲＯＭ１２に書き込むことができ、携帯機１０が製品状態である段階でＥＥＰＲＯＭ１２に記憶された設定値を書き換えることができるため、電源による変動量を考慮することなく適切な電気特性を有する携帯機１０とすることができる。
【００６３】
（第２の実施の形態）
次に、本発明の第２の実施の形態について説明する。図６は、本発明の第２の実施の形態における調整システムを示す概略図である。
【００６４】
第２の実施の形態における調整システムは、上述の第１の実施の形態によるものと共通するところが多いので、以下、共通部分についての詳しい説明は省略し、異なる部分を重点的に説明する。第２の実施の形態において、上述の第１の実施の形態と異なる点は携帯機１０に計測部を設けた点である。
【００６５】
携帯機３０は、計測装置２０から無線送信された電波に基づいて、携帯機側受信部１４の電気特性（受信感度、受信周波数）を計測する携帯機側計測部３５を備える。
【００６６】
計測装置側制御部２１は、操作スイッチ２６が操作され、計測開始を示す操作信号が出力されると計測装置側送信部２３によって、計測を開始するために携帯機１０に電波の無線送信を要求する計測コマンドを変調したＬＦ電波に重畳してアンテナから無線送信する。
【００６７】
携帯機側制御部１１は、携帯機側受信部１４にて計測コマンドを含むＬＦ電波を無線受信すると、携帯機側計測部３５にて受信したＬＦ電波を用いて携帯機側受信部１４の電気特性（受信感度、受信周波数）を計測する。
【００６８】
そして、携帯機側制御部１１は、携帯機側送信部１３によって、ＥＥＰＲＯＭ１２に記憶された設定値に基づいて送信出力、送信周波数を制御して、携帯機側計測部３５にて計測した計測結果を示す信号を変調したＲＦ電波に重畳して無線送信する。
【００６９】
この携帯機側計測部３５にて計測された計測結果を含むＲＦ電波を無線受信した計測装置２０は、上述の実施の形態におけるステップＳ１３乃至ステップＳ１６に示すように、計測結果が正常であるか否かの判定、調整マップの確認、調整用設定値の決定、書換コマンド及び調整用設定値の送信などを実行する。
【００７０】
そして、携帯側受信部１４にて書換コマンド及び調整用設定値を受信すると、携帯機側制御部１１は、受信した書換コマンドに従って現在ＥＥＰＲＯＭ１２に記憶されている設定値を受信した調整用設定値に書き換える。
【００７１】
このように、携帯機側受信部１４にて受信したＬＦ電波に基づいて計測した計測結果を含む電波を計測装置２０に送信して、計測装置２０からこの計測結果に基づいた調整用設定値を含む電波を受信することよって、携帯機側受信部１４の電気特性を調整することができる。
【００７２】
なお、上述の実施の形態においては、携帯機側送信部１３から出力する電波をＲＦ電波、計測装置側送信部２３から出力する電波をＬＦ電波として説明したが本発明はこれに限定されるものではなく、無線電波を送信するものであれば本発明の目的を達成するものである。
【００７３】
なお、上述の実施の形態においては、調整用設定値を設定するために、計測装置側計測部２５の計測結果及び／又は携帯機側計測部３５の計測結果と調整用設定値とを関連付けて記憶する計測装置側記憶部２２を備える例を用いて説明したが、本発明はこれに限定されるものでない。しかし、この計測装置側記憶部２２を用いて調整用設定値を設定することによって、容易に調整用設定値を設定することができる。
【図面の簡単な説明】
【００７４】
【図１】本発明の第１の実施の形態における調整システムを示す概略図である。
【図２】本発明の第１の実施の形態における携帯機を示す概略図である。
【図３】本発明の第１の実施の形態における計測装置の処理動作を示すフロー図である。
【図４】本発明の第1の実施の形態における携帯機の処理動作を示すフロー図ある。
【図５】本発明の第1の実施の形態における調整マップの一例を示す説明図である。
【図６】本発明の第２の実施の形態における調整システムを示す概略図である。
【符号の説明】
【００７５】
１０  携帯機、１１  携帯機側制御部、１２  ＥＥＰＲＯＭ、１３  携帯機側送信部、１４  携帯機側受信部、１５  基板、１６  回路素子、１７  モールド樹脂、２０  計測装置、２１  計測装置側制御部、２２  計測装置側記憶部、２３  計測装置側送信部、２４  計測装置側受信部、２５  計測装置側計測部、２６  操作スイッチ、３５  携帯機側計測部
【図１】
0004470858.tif 000002
【図２】
0004470858.tif 000003
【図３】
0004470858.tif 000004
【図４】
0004470858.tif 000005
【図５】
0004470858.tif 000006
【図６】
0004470858.tif 000007